(57)【特許請求の範囲】
【請求項１】
水供給管より導入した水（以下、原水と称す）を浄水処理し、次いで純水処理する円形又は箱型の水処理機器であって、純水を入出させる圧力貯水タンク入出口を有した貯水タンク本体の底部に、原水を取入れる浄水器ＩＮ口を有した浄水器用筒および前記浄水器用筒中央部に純水器出水口と膜洗浄水出水口を有した純水器用筒を有し、前記浄水器用筒内に浄水処理用のカートリッジを装填し、前記浄水器用筒頂部に浄水器ＯＵＴ口を有した純水器キャップ用の空間を設けた浄水器用キャップをシール材をはさんで蓋付けして浄水器と成し、前記純水器用筒内に逆浸透膜カートリッジを、前記純水器出水口に膜中心純水管を挿入して装填し、前記純水器用筒頂部に浄水を受入れる浄水取入口を有した純水器キャップを蓋付けして純水器と成し、前記貯水タンク本体の前記浄水器部と純水器部以外の部分には、本体キャップを密封固着して圧力貯水タンクと成し、原水をホース等水管（以下、水管と称す）にて浄水器ＩＮ口より取入れ、浄水処理して浄水器ＯＵＴ口より出水し、水管にて純水器の浄水を受入れる浄水取入口に送給して純水器内にて純水処理し、純水処理した純水を純水器出水口より出水し、水管を経て圧力貯水タンク出入口へ送水し、原水の圧力により圧力貯水タンク内に貯水し、圧力貯水タンク上部のエアーが保圧し、純水吐水栓の開口時には、前記保圧により圧力貯水タンク内の純水は水管を経て自動出水し、純水製造時に逆浸透膜表面を洗浄した膜洗浄水は、膜洗浄水出水口より水管を経て排出する前記浄水器、純水器および貯水タンクを一体化したことを特徴とする水処理機器。
【請求項２】
浄水出水口、膜洗浄水出水口、圧力貯水タンク出入口、浄水器ＩＮ口と連通する水管路を、圧力貯水タンクの底部および壁部に設け、前記水管路の出入水口である水管路口を、圧力タンクの本体キャップに設けて、前記各口を水管路を通じて水管に連通する請求項１記載の水処理機器。
【請求項３】
水供給管より導入した水（以下、原水と称す）を浄水処理し、次いで純水処理する円形の水処理機器であって、原水を取入れる浄水器ＩＮ口を有した浄水器用筒および前記浄水器用筒内に純水器出水口と膜洗浄水出水口を有した純水器用筒を有し、前記浄水器用筒内に円形中央空洞の浄水処理カートリッジを装填し、前記純水器用筒内に逆浸透膜カートリッジを装填し、前記純水器用筒の一端部を浄水を受入れる前記浄水取入口として純水器と成し、浄水器用筒頂部に浄水純水器用キャップを蓋付けして浄水器と成し、原水をホース等水管（以下、水管と称す）にて浄水器ＩＮ口より取入れ、浄水処理して純水器の浄水を受入れる浄水取入口に送給して純水器内にて純水処理し、純水処理した純水を純水出水口より出水し、純水製造時に逆浸透膜表面を洗浄した膜洗浄水は、膜洗浄水出水口より水管を経て排出する前記浄水器と純水器を一体化したことを特徴とする請求項１記載の水処理機器。
【請求項４】
水供給管より導入した水（以下、原水と称す）を浄水処理し、次いで純水処理する水処理機器であって、浄水器用筒壁の底面外周辺に、原水を取入れる浄水器ＩＮ口、浄水器用筒の中心に純水器出水口を有し、前記純水器出水口と隣接して膜洗浄水出水口を有した浄水器用筒内に、円形中央空洞の浄水器用のカートリッジを装填し、前記カートリッジの中央空洞内に、前記純水器出水口へ純水器逆浸透膜カートリッジの膜中心純水管を挿入し且つ、前記純水器逆浸透膜カートリッジ外周の筒役保護壁と前記浄水器用のカートリッジベース内周壁とを密着させて、純水器逆浸透膜カートリッジを装填し、前記カートリッジベース下方のシール部品と前記カートリッジベース内周壁と純水器逆浸透膜カートリッジ外周の筒役保護壁との間に浄水器内原水部と区分された膜洗浄水流通部を設けて浄水器用筒内の純水器となし、前記浄水器用筒の頂面に浄水純水器用キャップを蓋付けして浄水器と成す、浄水器、純水器を一体化したことを特徴とする請求項１記載の水処理機器。
【請求項５】
浄水器用筒底面の、内壁外周辺に浄水器ＩＮ口、中心に純水器出水口、および前記純水器出水口に隣接した位置に膜洗浄水出水口を有する浄水器用筒内に、純水器逆浸透膜カートリッジを前記純水器出水口へ膜中心純水管を挿入して安置し、次いで円形中央空洞の浄水器用カートリッジを装填し、前記浄水器筒頂部に浄水純水器用キャップを蓋付けして浄水器と成し、前記浄水器用筒の底面を頂面とし、浄水器用筒を筒内空間を設けて下方に延長して側面とし、前記延長側面に底蓋を蓋付け底面として貯水タンクと成し、浄水器ＩＮ口は連通したタンク内水管と水管ジョイントとに連通した水管より原水を取入れ、前記逆浸透膜カートリッジの膜洗浄水は、前記浄水器底面中央部の洗浄水出水口と連通したタンク内水管を流通して、前記貯水タンクに設けた水管ジョイントに至り、連通した水管を経て雑用水吐水パイプに送水し、浄水器カートリッジおよび逆浸透膜カートリッジにて処理された純水は、前記浄水器底面の純水出水口よりタンク内に放水し、原水の圧力にてタンク内に貯水し、タンク内の純水は純水出水管に連通した水管を経て純水吐水栓に連通させ、円形中央空洞の浄水器カートリッジの中央空洞部に逆浸透膜カートリッジを装填した、浄水純水器の下部に貯水タンクを設けて成る浄水器、純水器、圧力貯水タンクを一体化したことを特徴とする請求項１記載の水処理機器。
【発明の詳細な説明】
【技術分野】
【０００１】  本発明は、逆浸透膜純水処理装置に関するものである。
【背景技術】
【０００２】  家庭などで用いられる逆浸透膜純水器（以下、純水器と称す）は、プレフィルター濾過器、活性炭濾過器、マイクロフィルター濾過器と３つの器を通して浄水処理し、その後純水器を経て純水を製造して別途用意された貯水タンクに純水を貯水している。
この３つの浄水行程濾過器、および純水器、貯水タンクがそれぞれ分離している為に設置には大きな場を必要とされる欠点があり、シンクの下に全てを収納することは不可能であった。
【発明の開示】
【発明が解決しようとする課題】
【０００３】  浄水処理に必要な、プレフィルター、マイクロフィルターおよび活性炭フィルターがフィルター交換のためにそれぞれ独立していること。
貯水タンクがシンクに納められない故に台所のスミ等に独立して設置され、又それらを水管で接続していること。
【課題を解決するための手段】
【０００４】  浄水系処理器、貯水タンク、ＲＯ膜を用いて純水を得る純水器等を一体化して、従来あった不必要な空間を排除する。
【発明の効果】
【０００５】  本発明の水処理機器は、従来３個有った浄水系処理器と、１個の貯水タンク、１個の純水器の全てをまとめて一体化して設置場の縮少と同時にコストの減少をなす。
【図面の簡単な説明】
【０００６】
【図１】  本発明の水処理機器の外観図。
【図２】  本発明の水処理機器の外観図。
【図３】  本発明の水処理機器の正面図。
【図４】  本発明の水処理機器の裏面図。
【図５】  本発明の水処理機器の表面図。
【図６】  本発明の水処理機器の底面図。
【図７】  本発明の水処理機器の右側面図。
【図８】  本発明の水処理機器の左側面図。
【図９】  図３におけるＡ−Ａ線に沿う断面図。
【図１０】  図５におけるＢ−Ｂ線に沿う断面図。
【図１１】  従来の一般的純水装置の概略を表わす説明用図。
【図１２】  従来の一般的純水装置の概略を表わす説明用図。
【図１３】  第２実施例の水処理機器の外観図。
【図１４】  第２実施例の水処理機器の外観図。
【図１５】  第２実施例の水処理機器の正面図。
【図１６】  第２実施例の水処理機器の裏面図。
【図１７】  第２実施例の水処理機器の表面図。
【図１８】  第２実施例の水処理機器の底面図。
【図１９】  第２実施例の水処理機器の右側面図。
【図２０】  第２実施例の水処理機器の左側面図。
【図２１】  図１５におけるＣ−Ｃ線に沿う断面図。
【図２２】  図１７におけるＤ−Ｄ線に沿う断面図。
【図２３】  図１７におけるＥ−Ｅ線に沿う断面図。
【図２４】  図２２と図２３を重ねて説明用に合成した説明用図。
【図２５】  第３実施例の水処理機器の外観図。
【図２６】  第３実施例の水処理機器の外観図。
【図２７】  第３実施例の水処理機器の正面図。
【図２８】  第３実施例の水処理機器の裏面図。
【図２９】  第３実施例の水処理機器の表面図。
【図３０】  第３実施例の水処理機器の底面図。
【図３１】  第３実施例の水処理機器の右側面図。
【図３２】  第３実施例の水処理機器の左側面図。
【図３３】  図２７におけるＦ−Ｆ線に沿う断面図。
【図３４】  図２９におけるＧ−Ｇ線に沿う断面図。
【図３５】  第４実施例の水処理機器の説明図。
【図３６】  第５実施例の水処理機器の外観図。
【図３７】  第５実施例の水処理機器の外観図。
【図３８】  第５実施例の水処理機器の正面図。
【図３９】  第５実施例の水処理機器の裏面図。
【図４０】  第５実施例の水処理機器の右側面図。
【図４１】  第５実施例の水処理機器の左側面図。
【図４２】  第５実施例の水処理機器の表面図。
【図４３】  第５実施例の水処理機器の底面図。
【図４４】  図３８におけるＨ−Ｈ線に沿う断面図。
【図４５】  図４２におけるＩ−Ｉ線に沿う断面図。
【符号の説明】
【０００７】１  本発明の水処理機器
２  水供給管
３  分岐栓
４  純水吐水栓
５  浄水吐水栓
６  水取入口
７  水管（ホース等水管）
８  純水出水口
９  浄水出水口
１０  浄水器
１１  カートリッジ、浄水器用カートリッジ（浄水器用で円形、中央が空洞）
１２  圧力貯水タンク（タンク・貯水タンク）
１３  浄水器ＩＮ口
１４  浄水器ＯＵＴ口
１５  純水器
１６  純水器の浄水取入口
１７  純水器出水口
１８  膜洗浄水出水口
１９  排水出水口
２０  雑用水吐水パイプ
２１  出水ツマミ
２２  圧力貯水タンク出入口、純水出水口、圧力貯水タンク入出口
２３  純水器逆浸透膜カートリッジ
２４  膜中心純水管
２５  プレフィルター
２６  活性炭層
２７  マイクロフィルター
２８  カートリッジベース
２９  カートリッジキャップ
３０  本体キャップ
３１  シール用ラバー
３２  シール用Ｏリング
３３  本体
３４  純水器用筒
３５  浄水連通部
３６  エアー部
３７  シール用ラバー、シール材
３８  固定ビス
３９  浄水器内原水部
４０  純水器キャップ
４１  貯水タンク上部
４２  シール部品
４３  フィルター固着材
４４  浄水器用筒
４５  純水器内部
４６  分岐管
４７  本体壁の止水栓
４８  浄水器ＯＵＴ側出水部
４９  浄水取入部
５０  浄水器用キャップ（中央を純水器用キャップ用に空洞とした）
５１  浄水器用キャップ
５２  水管路
５３  圧力検知センサー
５４  電脳
５５  電磁弁
５６  磁石を内蔵した浮子
５７  リードスイッチＡ
５８  浮子の磁石
５９  リードスイッチＢ
６０  浄水器ＯＵＴ側
６１  純水器の浄水取入側
６２  電池
６３  電線
６４  水管路口
６５  浄水純水器用キャップ
６６  純水を採水する瓶又は水差し
６７  筒役保護壁
７３  カートリッジベース内周壁
７４  膜洗浄水流通部
７５  筒型の浄水器用カートリッジ
７６  タンク内水管
７７  水管ジョイント
７８  浄水器用筒延長部
７９  浄水器用筒底面
８０  純水吐水管
８１  底蓋
【発明を実施するための最良の形態】
【０００８】  水供給管より導入した水（以下、原水と称す）を浄水処理し、次いで純水処理する円形又は箱型の水処理機器であって、純水を入出させる純水入出口を有した貯水タンク本体の底部に、原水を取入れる浄水器ＩＮ側入水口を有した浄水器用筒状器を、および前記浄水器用筒状器内に純水出水口と膜洗浄水出水口を有した純水器用筒状器を有し、前記浄水器用筒状器内に浄水処理カートリッジを装填し、その筒状器頂部に浄水器ＯＵＴ側出水口を有し、純水器キャップ用の空間を有した浄水器用キャップをシール材をはさんで蓋付けして浄水器と成し、前記純水器用筒状器内に逆浸透膜カートリッジを装填し、その筒状器頂部に浄水を受入れる浄水受入口を有した純水器用キャップをシール材をはさんで蓋付けして純水器と成し、前記本体の前記浄水器部と純水器部以外の部分には、本体キャップをシール材をはさんでビス付けその他の方法で密封固着して貯水タンクと成し、原水をホース等水管（以下、水管と称す）にて浄水器ＩＮ側入水口より取入れ、浄水処理して浄水器ＯＵＴ側出水口より出水し、水管にて純水器の浄水を受入れる浄水取入口に送給して純水器内にて純水処理し、純水処理した純水を純水出水口より出水し、水管を経て貯水タンクの純水入出口へ送水し、原水の圧力により圧力貯水タンク内に貯水し、圧力貯水タンク上部のエアーが保圧し、純水吐水栓の開口時には、前記保圧により圧力貯水タンク内の純水は自動出水し、純水製造時に逆浸透膜表面を洗浄した膜洗浄水は、膜洗浄水出水口より水管を経て排出する前記浄水器、純水器および貯水タンクを一体化したことを特徴とする水処理機器を実現する。
【実施例１】
【０００９】  以下、本発明の浄水器１０、純水器１５、圧力貯水タンク１２を一体化した第一実施例を図１及至図１０を参照して説明する。
図１及び図２は本発明水処理機器１の外観図であり、図３は正面図、図４は裏面図、図５は表面図、図６は底面図、図７は右側面図、図８は左側面図、図９は図３におけるＡ−Ａ線に沿う断面図、図１０は図５におけるＢ−Ｂ線に沿う断面図である。【００１０】  以下、水管７を連通し、水の流れを矢印にて示した図１０を参照して、純水製造時での水の流れを説明する。
図１０における符号４１は圧力貯水タンク１２（以下、タンクと称す）の上部に有り、原水圧力により製造された純水の圧力入水により出来上る貯圧エアー部であり、純水吐水栓４を開口すれば前述の保圧により純水は自動的に出水する。【００１１】  固定ビス３８は、タンク１２と本体キャップ３０を固定するビスである。【００１２】  水供給管２より分岐水栓３を用いて導入した水は、水管７を経て浄水器ＩＮ口１３より浄水器内原水部３９に流入し、カートリッジベース２８とカートリッジキャップ２９との間に構成された横流式濾過法カートリッジのプレフィルター２５により水中の雑固形物が濾過され、次いで活性炭層２６にて有機物は吸着濾過され、次いでマイクロフィルター２７にてマイクロ以上の固形物が最終濾過されて、浄水連通部３５へ流入し、浄水器ＯＵＴ口１４より出水する。【００１３】  水管７を通水して純水器の浄水取入口１６より入水した浄水は、純水器逆浸透膜カートリッジ２３において一部純水濾過されて、膜中心純水管２４に集水して、純水器出水口１７より純水となって出水し、一部膜表面を洗浄して膜洗浄水出水口１８より出水する膜洗浄水は水管７を通水して雑用水吐水パイプ２０より吐水する。【００１４】  純水器出水口１７より出水した純水は、水管７を経て符号１２のタンクに分岐管４６を経て貯水されるか、又は分岐管４６のもとに水管７を通水し連通した純水吐水栓４より吐水する。【００１５】  図１０に示す符号４１は上部エアー部で圧力により縮少して圧力を貯圧する。【００１６】  ＲＯ製造時において純水をタンク１２に貯水するが、タンク１２の水位とともに浮く磁石を内蔵した浮子５６が有り、一定の量までタンク１２内の水位があがると、浮子の磁石５８により、リードスイッチＡ５７が感応して電脳５４に通告し、電脳５４は電磁弁５５に指令して電磁弁５５を閉口させ、逆に純水を使用してタンク１２内の水位が所定位置まで使用した時には、水位とともに下がった浮子の磁石５８に感応したリードスイッチＢ５９は電脳５４に通告し、電脳５４は電磁弁５５を開口して純水製造は再開される。【００１７】  図１０に示す符号３６は浄水器上部のエアー部であり、浄水器にかかる衝撃緩和作用をなす為に設けられている。【００１８】  図１１及び図１２は背景技術としての現況市場の純水機器であり、符号２５はプレフィルター内臓器、２６は活性炭内臓器、２７はマイクロフィルター内臓器の浄水系器であり、１５は純水器、１２は圧力貯水タンクと五つの器が分離して構成されている為に、広い設置空間が要求されていることを示す図であり、又純水器より出水する廃棄水を水管７の先端より放水廃棄していることを示す。
【実施例２】
【００１９】  以下図１３及至図２４を参照して、浄水器ＩＮ口１３、純水出水口１７、逆浸透膜洗浄水出水口１８を、圧力貯水タンク１２の壁部又は底部に設けたそれぞれ個別の水管路５２と、それぞれ連通させた水処理機器である実施例の２を説明する。
図１３及び図１４は実施例２における水処理機器１の外観図、図１５は正面図、図１６は裏面図、図１７は表面図、図１８は底面図、図１９は右側面図、図２０は左側面図、図２１は図１５におけるＣ−Ｃ線上に沿う断面図、図２２は図１７におけるＤ−Ｄ線上に沿う断面図、図２３は図１７におけるＥ−Ｅ線に沿う断面図、図２４は図２２と図２３を重ね合わせて合成した説明用図である。【００２０】  図２４に純水製造時での水の流れを矢印で示すが、これは実施例１と同様の流れであり、水供給管２−分岐栓３−電磁弁５５−水管７−本体キャップ３０に設けた水管路口６４−水管路５２−浄水器ＩＮ口１３−浄水器ＯＵＴ口１４−純水器の浄水取入口１６−膜中心純水管２４に集まって出水する純水は、純水出水口１７−水管路５２−圧力貯水タンク出入口より貯水タンク１２内へ貯水するか、あるいは水管路５２−水管路口６４−水管７−純水吐水栓４と流通し、逆浸透膜洗浄水は、膜洗浄水出水口１８−水管路５２−水管路口６４−水管７−雑用水吐水パイプ２０と流れる。
【実施例３】
【００２１】  以下、本発明の浄水器１０と純水器１５を一体化した第３実施例を図２５及至図３４を参照して説明する。本器を設置する台部分は省略して説明する。
浄水器用筒４４内部の、純水器用筒３４内を純水器１５とし、その他の部分を浄水器１０とする。【００２２】  図２５及図２６は本発明の水処理機器の外観図であり、図２７は正面図、図２８は裏面図、図２９は表面図、図３０は底面図、図３１は右側面図、図３２は左側面図、図３３は図２７におけるＦ−Ｆ線に沿う断面図、図３４は図２９におけるＧ−Ｇ線に沿う断面図である。浄水器用筒４４の一端は浄水純水器用キャップ６５に螺合し、シール材３２を用いて密封している。【００２３】  図３４の符号７４膜洗浄水流通部は純水器用筒３４内にある。【００２４】  水供給管２より分岐水栓３を用いて導入した水は、水管７を経て浄水器ＩＮ口１３より浄水器内原水部３９に流入し、カートリッジベース２８とカートリッジキャップ２９との間に構成された円形中央空洞の横流式濾過法カートリッジのプレフィルター２５により水中の雑固形物が濾過され、次いで活性炭層２６にて有機物は吸着濾過され、次いでマイクロフィルター２７にてマイクロ以上の固形物が最終濾過されて、浄水連通部３５へ流入し、前述浄水器用筒４４の内部原水部３９と前述の浄水連通部３５とを分離するシール部品４２の内側を流れて、純水器用筒３４の純水器１５の浄水取入口１６より入水した浄水は、純水器逆浸透膜カートリッジ２３において一部純水濾過されて、膜中心純水管２４に集水して純水器出水口１７より純水となって出水し、水管を経て連通した純水吐水栓の開口時に吐水する。【００２５】  膜表面を洗浄し、膜洗浄水出水口１８より出水する膜洗浄水は水管７を通水して雑用水吐水パイプ２０より吐水する。【００２６】  純水器出水口１７より出水した純水は、水管７を経て純水吐水栓４に至り、直接に瓶又は水差しその他６６に採水して使用する。
【実施例４】
【００２７】  以下、本発明の浄水器用筒４４内に純水器用筒３４を不用として、浄水器１０、純水器１５を一体化した水処理器の実施例を図３４および図３５を参照し、浄水器用筒４４内部の、逆浸透膜カートリッジ２３外周の筒役保護壁６７内と膜洗浄水流通部７４内を純水器１５とし、それ以外の部分を浄水器１０として説明する。
実施例３において説明した水処理器である故に、形状その他は省略し、水の流れも矢印で示すのみにとどめる。
実施例３において前述した、浄水純水器の断面図３４を参照して、純水器用筒３４について説明する。
純水器用筒３４は、浄水器１０内で浄水連通部３５の浄水域浄水を、純水器用筒３４内の逆浸透膜カートリッジ２３内で純水を生産する純水処理用浄水域の浄水を区分別し且つ、膜洗浄水域の膜洗浄水をも区分別することを目的とした筒であるが、逆浸透膜カートリッジ２３の筒状外壁となる外周保護材を強化することにより、前述純水器用筒３４の目的を果たすことが可能である。故に純水器用筒３４の占めていた場は他に利用する事が可能となる。【００２８】  図３５は、図３４内の純水器用筒３４を削除して、前述した逆浸透膜カートリッジ２３の外周保護材を強化して成す筒役保護壁６７とカートリッジベース２８の内周壁７３とを密着（場合によってはシール材を用いる）し、カートリッジベース底部のシール部品４２を浄水器用筒４４の底部と密着させて、膜洗浄水連通部７４を構成して成る、浄水器ＩＮ口１３、純水器出水口１７、膜洗浄水出水口１８を有した浄水器用筒４４内に、円形中央空洞の浄水器用カートリッジ１１を装填し、カートリッジ１１の中央空洞部に逆浸透膜カートリッジ２３を装填して、浄水器用筒４４に浄水純水器用キャップ６５を蓋付けして浄水純水器とした請求項１および請求項３記載の水処理機器である。
【実施例５】
【００２９】  以下、本発明の浄水器１０、純水器１５、圧力貯水タンク１２を一体化した第５実施例を、図３４および図３５および図３６及至図４５を参照して説明する。
図３６および図３７は本発明水処理機器の外観図であり、図３８は正面図、図３９は裏面図、図４０は左側面図、図４１は右側面図、図４２は表面図、図４３は底面図、図４４は図３８におけるＨ−Ｈ線に沿う断面図、図４５は図４２におけるＩ−Ｉ線に沿う断面図である。【００３０】  図３４は第３実施例において既述した第３実施例の水処理器の純水製造時での水の流れを矢印にて説明した図であり、水の流れは第３実施例の図３４と同様であり、尚浄水器用筒底部７９に示す如く、純水器出水口１７、膜洗浄水出水口１８、浄水器ＩＮ口１３も同位置に位置している。【００３１】  図４５の符号４４は浄水器用筒であるが、この浄水器用筒４４を、浄水器用筒底部７９より超過延長し、一定空間を構設して延長部７８先端に底蓋８１を密蓋して、圧力貯水タンク１２を造成している。符号７８は浄水器用筒４４の延長部を表わす。【００３２】  純水製造時および純水使用時等の水の流れを矢印で示して、簡単に説明する。水供給管２より分岐栓３を経て導入した原水は水管７を流通して水管ジョイント７７を経てタンク内水管７６と連通した浄水器ＩＮ口１３より浄水器用筒４４内に流入する。【００３３】  浄水器カートリッジ１１にて浄水処理された浄水は逆浸透膜カートリッジ２３に流入して、純水処理された純水は下部の圧力貯水タンク１２内に放出水し、圧力貯水タンク１２内の純水は、純水吐水管８０より連通した水管７を流通して、純水吐水栓４の開口時に吐水する。【００３４】  純水製造時での膜洗浄水は、膜洗浄水出水口１８よりタンク内水管７６を流通し、水管ジョイント７７を経て水管７を流通して雑用水吐水パイプ２０より吐水する、円形中央空洞の浄水器用カートリッジ１１の中央空洞部内へ逆浸透膜カートリッジ２３を装填してなる浄水器下方に圧力貯水タンク１２を設けて、浄水器１０、純水器１５、圧力貯水タンク１２を一体化した水処理機器である。
【産業上の利用可能性】
【００３５】  設置場の縮少、材料の削減、コスト安を実現した当発明の水処理機器の、健康、環境への人々の意識の高揚を因とする水処理機器の現況市場への登場は消費者の要望である。
【図１】
0004748425.tif 000002
【図２】
0004748425.tif 000003
【図３】
0004748425.tif 000004
【図４】
0004748425.tif 000005
【図５】
0004748425.tif 000006
【図６】
0004748425.tif 000007
【図７】
0004748425.tif 000008
【図８】
0004748425.tif 000009
【図９】
0004748425.tif 000010
【図１０】
0004748425.tif 000011
【図１１】
0004748425.tif 000012
【図１２】
0004748425.tif 000013
【図１３】
0004748425.tif 000014
【図１４】
0004748425.tif 000015
【図１５】
0004748425.tif 000016
【図１６】
0004748425.tif 000017
【図１７】
0004748425.tif 000018
【図１８】
0004748425.tif 000019
【図１９】
0004748425.tif 000020
【図２０】
0004748425.tif 000021
【図２１】
0004748425.tif 000022
【図２２】
0004748425.tif 000023
【図２３】
0004748425.tif 000024
【図２４】
0004748425.tif 000025
【図２５】
0004748425.tif 000026
【図２６】
0004748425.tif 000027
【図２７】
0004748425.tif 000028
【図２８】
0004748425.tif 000029
【図２９】
0004748425.tif 000030
【図３０】
0004748425.tif 000031
【図３１】
0004748425.tif 000032
【図３２】
0004748425.tif 000033
【図３３】
0004748425.tif 000034
【図３４】
0004748425.tif 000035
【図３５】
0004748425.tif 000036
【図３６】
0004748425.tif 000037
【図３７】
0004748425.tif 000038
【図３８】
0004748425.tif 000039
【図３９】
0004748425.tif 000040
【図４０】
0004748425.tif 000041
【図４１】
0004748425.tif 000042
【図４２】
0004748425.tif 000043
【図４３】
0004748425.tif 000044
【図４４】
0004748425.tif 000045
【図４５】
0004748425.tif 000046